(57)【要約】【課題】スケーリングにより発生し得る映像のずれを適切に補正することが可能な放送信号受信装置を提供する。【解決手段】放送信号受信装置は、高解像映像データ及び低解像映像データを放送信号として受信する。第１特徴部分検出手段は、第１映像内に存在する第１特徴部分を検出し、第２特徴部分検出手段は、第１映像のサイズに合わせてスケーリングされた第２映像において、第１特徴部分が存在する位置に対応する位置に存在し、第１特徴部分と同一の特徴を有する第２特徴部分を検出する。スケーリング検出手段は、第１特徴部分の位置と第２特徴部分の位置とを比較することで、低解像映像データが形成する映像のサイズを調整するためのスケーリング率を検出する。これにより、低解像映像データが形成する映像をスケーリングする際に発生し得る映像のずれを適切に抑制することが可能となる。【選択図】図１
2010251897.tif 000002
【特許請求の範囲】
【請求項１】
コンテンツを放送する高解像映像データを含む第１放送信号、及び、前記コンテンツと同一のコンテンツを異なる放送形式で放送する低解像映像データを含む第２放送信号を受信する放送信号受信装置であって、
前記高解像映像データが形成する第１映像のサイズに合わせて、前記低解像映像データが形成する映像をスケーリングすることで、第２映像を生成する第２映像生成手段と、
前記第１映像内に存在する第１特徴部分を検出する第１特徴部分検出手段と、
前記第２映像において、前記第１特徴部分が存在する位置に対応する位置に存在し、前記第１特徴部分と同一の特徴を有する第２特徴部分を検出する第２特徴部分検出手段と、
前記第１特徴部分の位置と前記第２特徴部分の位置とを比較することで、前記低解像映像データが形成する映像のサイズを調整するためのスケーリング率を検出するスケーリング検出手段と、を備えることを特徴とする放送信号受信装置。
【請求項２】
前記スケーリング検出手段は、前記第１特徴部分の位置と前記第２特徴部分の位置とを比較することで、前記低解像映像データが形成する映像の位置を調整するためのオフセット値を更に検出することを特徴とする請求項１に記載の放送信号受信装置。
【請求項３】
前記スケーリング検出手段によって検出された前記スケーリング率及び前記オフセット値を用いて、前記低解像映像データが形成する映像をスケーリングする処理及びオフセットする処理を行うスケーリング制御手段を更に備えることを特徴とする請求項２に記載の放送信号受信装置。
【請求項４】
前記第１特徴部分検出手段及び前記第２特徴部分検出手段は、それぞれ、前記第１映像及び前記第２映像の映像データに対してエッジ検出を行うことで、前記第１特徴部分及び前記第２特徴部分を検出するエッジ検出手段を備えることを特徴とする請求項１乃至３のいずれか一項に記載の放送信号受信装置。
【請求項５】
前記エッジ検出手段は、前記第１映像及び前記第２映像の４隅に位置する所定領域内の映像データに対して前記エッジ検出を行うことで、前記４隅のうち対角に位置する２つの隅における前記所定領域内の映像データから横線と縦線との交点を検出し、検出された前記交点を前記第１特徴部分及び前記第２特徴部分とすることを特徴とする請求項４に記載の放送信号受信装置。
【請求項６】
前記エッジ検出手段は、前記２つの隅のそれぞれにおける前記所定領域から、前記交点が検出されなかった場合には、当該検出を行ったフレームとは異なるフレームに対して前記エッジ検出を再度行うことを特徴とする請求項５に記載の放送信号受信装置。
【請求項７】
前記エッジ検出手段は、前記２つの隅の一方の隅における前記所定領域のみから前記交点が検出された場合には、当該交点を取得すると共に、前記検出を行ったフレームとは異なるフレームに対して前記エッジ検出を再度行うことで、前記２つの隅の他方の隅における前記所定領域から前記交点を取得し、前記取得された２つの交点を前記第１特徴部分及び前記第２特徴部分とすることを特徴とする請求項５に記載の放送信号受信装置。
【請求項８】
前記スケーリング検出手段は、前記第２映像から検出された前記交点が前記第１映像から検出された前記交点と重なるように、前記スケーリング率及び映像の位置を調整するためのオフセット値を検出することを特徴とする請求項５乃至７のいずれか一項に記載の放送信号受信装置。
【請求項９】
前記エッジ検出手段は、前記第１映像及び前記第２映像の４隅に位置する所定領域内の映像データに対して前記エッジ検出を行うことで線分を検出し、検出された前記線分を前記第１特徴部分及び前記第２特徴部分とすることを特徴とする請求項４に記載の放送信号受信装置。
【請求項１０】
前記エッジ検出手段は、複数のフレームに対して前記エッジ検出を行うことで、前記線分を複数検出することを特徴とする請求項９に記載の放送信号受信装置。
【請求項１１】
前記スケーリング検出手段は、前記第２映像から検出された複数の前記線分が、それぞれ、前記第１映像から検出された複数の前記線分と重なるように、前記スケーリング率及び映像の位置を調整するためのオフセット値を検出することを特徴とする請求項１０に記載の放送信号受信装置。
【請求項１２】
前記第１特徴部分検出手段及び前記第２特徴部分検出手段は、前記第１映像及び前記第２映像においてサイドパネル部が存在する場合には、それぞれ、前記サイドパネル部を除外した領域内の映像データから、前記第１特徴部分及び前記第２特徴部分を検出することを特徴とする請求項１乃至１１のいずれか一項に記載の放送信号受信装置。
【請求項１３】
前記第１特徴部分検出手段及び前記第２特徴部分検出手段は、前記第２映像生成手段によって、前記低解像映像データが形成する映像が前記第１映像のサイズよりも小さいサイズでスケーリングされて前記第２映像が生成された場合には、それぞれ、当該第２映像のサイズに相当する領域内の映像データから、前記第１特徴部分及び前記第２特徴部分を検出することを特徴とする請求項１乃至１２のいずれか一項に記載の放送信号受信装置。
【請求項１４】
前記スケーリング検出手段により検出された前記スケーリング率で、前記低解像映像データが形成する映像をスケーリングした映像によって、前記第１映像におけるエラー部分を補間するエラー補間手段を更に備えることを特徴とする請求項１乃至１３のいずれか一項に記載の放送信号受信装置。
【請求項１５】
前記高解像映像データは、１２セグの映像データであり、
前記低解像映像データは、ワンセグの映像データであることを特徴とする請求項１乃至１４のいずれか一項に記載の放送信号受信装置。
【請求項１６】
コンテンツを放送する高解像映像データを含む第１放送信号、及び、前記コンテンツと同一のコンテンツを異なる放送形式で放送する低解像映像データを含む第２放送信号を受信する装置によって実行される放送信号受信方法であって、
前記高解像映像データが形成する第１映像のサイズに合わせて、前記低解像映像データが形成する映像をスケーリングすることで、第２映像を生成する第２映像生成工程と、
前記第１映像内に存在する第１特徴部分を検出する第１特徴部分検出工程と、
前記第２映像において、前記第１特徴部分が存在する位置に対応する位置に存在し、前記第１特徴部分と同一の特徴を有する第２特徴部分を検出する第２特徴部分検出工程と、
前記第１特徴部分の位置と前記第２特徴部分の位置とを比較することで、前記低解像映像データが形成する映像のサイズを調整するためのスケーリング率を検出するスケーリング検出工程と、を備えることを特徴とする放送信号受信方法。
【請求項１７】
コンテンツを放送する高解像映像データを含む第１放送信号、及び、前記コンテンツと同一のコンテンツを異なる放送形式で放送する低解像映像データを含む第２放送信号を受信する装置によって実行される放送信号受信プログラムであって、
前記装置を、
前記高解像映像データが形成する第１映像のサイズに合わせて、前記低解像映像データが形成する映像をスケーリングすることで、第２映像を生成する第２映像生成手段、
前記第１映像内に存在する第１特徴部分を検出する第１特徴部分検出手段、
前記第２映像において、前記第１特徴部分が存在する位置に対応する位置に存在し、前記第１特徴部分と同一の特徴を有する第２特徴部分を検出する第２特徴部分検出手段、
前記第１特徴部分の位置と前記第２特徴部分の位置とを比較することで、前記低解像映像データが形成する映像のサイズを調整するためのスケーリング率を検出するスケーリング検出手段、として機能させることを特徴とする放送信号受信プログラム。
【発明の詳細な説明】
【技術分野】
【０００１】
本発明は、放送信号を受信する機能を有する放送信号受信装置に関する。
【背景技術】
【０００２】
この種の技術が、例えば特許文献１及び２に提案されている。特許文献１には、サービス毎に異る方式で符号化及びパケット化した複数の画像符号化データを、違和感なく迅速に切り替えて復号する技術が提案されている。また、特許文献２には、第１の映像データの第１サイズ又は第２の映像データの第２サイズを、表示部の表示サイズに合わせてサイズ調整を行う技術が提案されている。これと同様な技術が、特許文献３にも提案されている。
【先行技術文献】
【特許文献】
【０００３】
【特許文献１】特開２００７−２８８６８３号公報
【特許文献２】特開２００６−２７０２３１号公報
【特許文献３】特開２００８−１７２３３５号公報
【発明の概要】
【発明が解決しようとする課題】
【０００４】
ところで、従来から、日本の地上デジタルテレビジョン放送（以下、単に「地デジ」と呼ぶ。）では、１つの周波数（物理）チャンネルにおいて、伝送特性の異なる複数のサービスが運用されている。現在、ほとんどの放送局で、固定受信向けサービス（以下、「１２セグ」と呼ぶ。）と部分受信向けサービス（以下、「ワンセグ」と呼ぶ。）とを、番組内容が同一なコンテンツで放送（以下、「サイマル放送」と呼ぶ。）している。そのことから、例えば車載用の地デジ受信機では、１２セグの映像信号とワンセグの映像信号との受信状態によって、自動で編成チャンネル切り替え（サービス切り替え）を行う機能を搭載しているものが一般的となってきている。
【０００５】
また、ワンセグの映像（以下、「ワンセグ映像」と呼ぶ。）は、例えば携帯電話をターゲットとした画素数であるため、車載用のモニターではワンセグ映像をスケーリングした映像を表示するのが一般的である。このようにワンセグ映像をスケーリングする場合において、画素数の比率で単純に拡大してしまうと、１２セグの映像（具体的にはハイビジョン映像或いは標準画質映像であり、以下「１２セグ映像」と呼ぶ。）の画素において６画素程度のずれが生じる場合がある。これは、放送局によって１２セグ映像からワンセグ映像を作成する際のトップボトムの間引き方法、ベースバンド素材から１２セグ、ワンセグそれぞれのエンコードする映像領域の違いや、その他装置が異なっていることなどが原因として考えられる。
【０００６】
ここで、上記した特許文献１には、時間的に同期を合わせる事で切り替え時の違和感を軽減することが記載されているに止まり、映像のスケーリングに関する違和感を軽減する方法については記載されていない。また、上記した特許文献２及び３に記載された技術では、画素数の比率のみでスケーリングを行っていたため、前述したようなスケーリングのずれを適切に補正することは困難であった。
【０００７】
本発明が解決しようとする課題は上記のようなものが例として挙げられる。本発明は、スケーリングにより発生し得る映像のずれを適切に補正することが可能な放送信号受信装置、放送信号受信方法、及び放送信号受信プログラムを提供することを課題とする。
【課題を解決するための手段】
【０００８】
請求項１に記載の発明では、コンテンツを放送する高解像映像データを含む第１放送信号、及び、前記コンテンツと同一のコンテンツを異なる放送形式で放送する低解像映像データを含む第２放送信号を受信する放送信号受信装置は、前記高解像映像データが形成する第１映像のサイズに合わせて、前記低解像映像データが形成する映像をスケーリングすることで、第２映像を生成する第２映像生成手段と、前記第１映像内に存在する第１特徴部分を検出する第１特徴部分検出手段と、前記第２映像において、前記第１特徴部分が存在する位置に対応する位置に存在し、前記第１特徴部分と同一の特徴を有する第２特徴部分を検出する第２特徴部分検出手段と、前記第１特徴部分の位置と前記第２特徴部分の位置とを比較することで、前記低解像映像データが形成する映像のサイズを調整するためのスケーリング率を検出するスケーリング検出手段と、を備える。
【０００９】
請求項１６に記載の発明では、コンテンツを放送する高解像映像データを含む第１放送信号、及び、前記コンテンツと同一のコンテンツを異なる放送形式で放送する低解像映像データを含む第２放送信号を受信する装置によって実行される放送信号受信方法は、前記高解像映像データが形成する第１映像のサイズに合わせて、前記低解像映像データが形成する映像をスケーリングすることで、第２映像を生成する第２映像生成工程と、前記第１映像内に存在する第１特徴部分を検出する第１特徴部分検出工程と、前記第２映像において、前記第１特徴部分が存在する位置に対応する位置に存在し、前記第１特徴部分と同一の特徴を有する第２特徴部分を検出する第２特徴部分検出工程と、前記第１特徴部分の位置と前記第２特徴部分の位置とを比較することで、前記低解像映像データが形成する映像のサイズを調整するためのスケーリング率を検出するスケーリング検出工程と、を備える。
【００１０】
請求項１７に記載の発明では、コンテンツを放送する高解像映像データを含む第１放送信号、及び、前記コンテンツと同一のコンテンツを異なる放送形式で放送する低解像映像データを含む第２放送信号を受信する装置によって実行される放送信号受信プログラムは、前記装置を、前記高解像映像データが形成する第１映像のサイズに合わせて、前記低解像映像データが形成する映像をスケーリングすることで、第２映像を生成する第２映像生成手段、前記第１映像内に存在する第１特徴部分を検出する第１特徴部分検出手段、前記第２映像において、前記第１特徴部分が存在する位置に対応する位置に存在し、前記第１特徴部分と同一の特徴を有する第２特徴部分を検出する第２特徴部分検出手段、前記第１特徴部分の位置と前記第２特徴部分の位置とを比較することで、前記低解像映像データが形成する映像のサイズを調整するためのスケーリング率を検出するスケーリング検出手段、として機能させる。
【図面の簡単な説明】
【００１１】
【図１】本実施例における放送信号受信装置の概略構成図を示す。
【図２】エッジ検出方法の一例を説明するための図である。
【図３】オフセット値及びスケーリング率を求める方法の一例を説明するための図である。
【図４】スケーリング検出部が行う処理を示すフローチャートである。
【図５】１２セグ映像の画素サイズより小さいサイズでワンセグ映像をスケーリングした場合における、エッジ検出方法を説明するための図である。
【図６】映像にサイドパネル部が存在する場合におけるエッジ検出方法を説明するための図である。
【図７】オフセット値及びスケーリング率の検出方法の他の例を説明するための図である。
【図８】変形例における放送信号受信装置の概略構成図を示す。
【図９】変形例における放送信号受信装置が行う全体処理を示すフローチャートである。
【図１０】変形例におけるエラー補間を行った場合の映像例を示す。
【発明を実施するための形態】
【００１２】
本発明の１つの実施形態では、コンテンツを放送する高解像映像データを含む第１放送信号、及び、前記コンテンツと同一のコンテンツを異なる放送形式で放送する低解像映像データを含む第２放送信号を受信する放送信号受信装置は、前記高解像映像データが形成する第１映像のサイズに合わせて、前記低解像映像データが形成する映像をスケーリングすることで、第２映像を生成する第２映像生成手段と、前記第１映像内に存在する第１特徴部分を検出する第１特徴部分検出手段と、前記第２映像において、前記第１特徴部分が存在する位置に対応する位置に存在し、前記第１特徴部分と同一の特徴を有する第２特徴部分を検出する第２特徴部分検出手段と、前記第１特徴部分の位置と前記第２特徴部分の位置とを比較することで、前記低解像映像データが形成する映像のサイズを調整するためのスケーリング率を検出するスケーリング検出手段と、を備える。
【００１３】
上記の放送信号受信装置は、同一のコンテンツが異なる放送形式によって放送される第１放送信号及び第２放送信号を受信する。第１放送信号には高解像映像データが含まれ、第２放送信号には低解像映像データが含まれる。第２映像生成手段は、高解像映像データが形成する第１映像のサイズに合わせて、低解像映像データが形成する映像をスケーリングすることで第２映像を生成する。第１特徴部分検出手段は、第１映像内に存在する第１特徴部分を検出し、第２特徴部分検出手段は、第２映像において、第１特徴部分が存在する位置に対応する位置に存在し、第１特徴部分と同一の特徴を有する第２特徴部分を検出する。そして、スケーリング検出手段は、第１特徴部分の位置と第２特徴部分の位置とを比較することで、低解像映像データが形成する映像のサイズを調整するためのスケーリング率を検出する。具体的には、第１特徴部分の位置が第２特徴部分の位置と一致するようなスケーリング率を求める。
【００１４】
これにより、低解像映像データが形成する映像を適切にスケーリングすることができ、低解像映像データが形成する映像をスケーリングする際に発生し得る映像のずれを抑制することが可能となる。よって、サービス切り替え時の映像のずれによる違和感を抑制することができ、視聴環境を向上させることが可能となる。
【００１５】
上記の放送信号受信装置の一態様では、前記スケーリング検出手段は、前記第１特徴部分の位置と前記第２特徴部分の位置とを比較することで、前記低解像映像データが形成する映像の位置を調整するためのオフセット値を更に検出する。
【００１６】
この態様によれば、低解像映像データが形成する映像を適切にオフセット及びスケーリングすることができる。よって、低解像映像データが形成する映像をスケーリングする際に発生し得る映像のずれを、効果的に抑制することが可能となる。
【００１７】
上記の放送信号受信装置の他の一態様では、前記スケーリング検出手段によって検出された前記スケーリング率及び前記オフセット値を用いて、前記低解像映像データが形成する映像をスケーリングする処理及びオフセットする処理を行うスケーリング制御手段を更に備える。
【００１８】
上記の放送信号受信装置の他の一態様では、前記第１特徴部分検出手段及び前記第２特徴部分検出手段は、それぞれ、前記第１映像及び前記第２映像の映像データに対してエッジ検出を行うことで、前記第１特徴部分及び前記第２特徴部分を検出するエッジ検出手段を備える。これにより、エッジ検出を行ったデータ同士で比較を行うことができ、映像で比較を行うよりも、精度良く映像のずれを検出することができる。
【００１９】
上記の放送信号受信装置において好適には、前記エッジ検出手段は、前記第１映像及び前記第２映像の４隅に位置する所定領域内の映像データに対して前記エッジ検出を行うことで、前記４隅のうち対角に位置する２つの隅における前記所定領域内の映像データから横線と縦線との交点を検出し、検出された前記交点を前記第１特徴部分及び前記第２特徴部分とする。このように４隅部分でエッジ検出を行うことにより、映像の中心よりも、映像の中心から離れた領域においてデータが一致していない場合に、それを容易に検出することができる。
【００２０】
好適には、前記エッジ検出手段は、前記２つの隅のそれぞれにおける前記所定領域から、前記交点が検出されなかった場合には、当該検出を行ったフレームとは異なるフレームに対して前記エッジ検出を再度行う。
【００２１】
また、好適には、前記エッジ検出手段は、前記２つの隅の一方の隅における前記所定領域のみから前記交点が検出された場合には、当該交点を取得すると共に、前記検出を行ったフレームとは異なるフレームに対して前記エッジ検出を再度行うことで、前記２つの隅の他方の隅における前記所定領域から前記交点を取得し、前記取得された２つの交点を前記第１特徴部分及び前記第２特徴部分とする。
【００２２】
好ましくは、前記スケーリング検出手段は、前記第２映像から検出された前記交点が前記第１映像から検出された前記交点と重なるように、前記スケーリング率及び映像の位置を調整するためのオフセット値を検出する。
【００２３】
上記の放送信号受信装置の他の一態様では、前記エッジ検出手段は、前記第１映像及び前記第２映像の４隅に位置する所定領域内の映像データに対して前記エッジ検出を行うことで線分を検出し、検出された前記線分を前記第１特徴部分及び前記第２特徴部分とする。
【００２４】
好ましくは、前記エッジ検出手段は、複数のフレームに対して前記エッジ検出を行うことで、前記線分を複数検出することができる。この場合、前記スケーリング検出手段は、前記第２映像から検出された複数の前記線分が、それぞれ、前記第１映像から検出された複数の前記線分と重なるように、前記スケーリング率及び映像の位置を調整するためのオフセット値を検出することができる。
【００２５】
上記の放送信号受信装置の他の一態様では、前記第１特徴部分検出手段及び前記第２特徴部分検出手段は、前記第１映像及び前記第２映像においてサイドパネル部が存在する場合には、それぞれ、前記サイドパネル部を除外した領域内の映像データから、前記第１特徴部分及び前記第２特徴部分を検出する。これにより、映像にサイドパネル部が存在する場合にも、第１特徴部分及び第２特徴部分を適切に検出することができる。
【００２６】
上記の放送信号受信装置の他の一態様では、前記第１特徴部分検出手段及び前記第２特徴部分検出手段は、前記第２映像生成手段によって、前記低解像映像データが形成する映像が前記第１映像のサイズよりも小さいサイズでスケーリングされて前記第２映像が生成された場合には、それぞれ、当該第２映像のサイズに相当する領域内の映像データから、前記第１特徴部分及び前記第２特徴部分を検出する。これにより、第１映像のサイズよりも小さいサイズでスケーリングされて第２映像が生成された場合にも、第１特徴部分及び第２特徴部分を適切に検出することができる。
【００２７】
上記の放送信号受信装置の他の一態様では、前記スケーリング検出手段により検出された前記スケーリング率で、前記低解像映像データが形成する映像をスケーリングした映像によって、前記第１映像におけるエラー部分を補間するエラー補間手段を更に備える。これにより、スケーリングのずれが適切に補正されたスケーリング映像によって、第２映像のエラー部分を補間することができる。よって、補間した映像領域の違和感を適切に抑制することが可能となる。
【００２８】
好適な例では、上記の放送信号受信装置は、地上デジタルテレビジョン放送の受信装置として構成され、高解像映像データとして１２セグの映像データを受信し、低解像映像データとしてワンセグの映像データを受信する。
【００２９】
本発明の他の観点では、コンテンツを放送する高解像映像データを含む第１放送信号、及び、前記コンテンツと同一のコンテンツを異なる放送形式で放送する低解像映像データを含む第２放送信号を受信する装置によって実行される放送信号受信方法は、前記高解像映像データが形成する第１映像のサイズに合わせて、前記低解像映像データが形成する映像をスケーリングすることで、第２映像を生成する第２映像生成工程と、前記第１映像内に存在する第１特徴部分を検出する第１特徴部分検出工程と、前記第２映像において、前記第１特徴部分が存在する位置に対応する位置に存在し、前記第１特徴部分と同一の特徴を有する第２特徴部分を検出する第２特徴部分検出工程と、前記第１特徴部分の位置と前記第２特徴部分の位置とを比較することで、前記低解像映像データが形成する映像のサイズを調整するためのスケーリング率を検出するスケーリング検出工程と、を備える。
【００３０】
また、本発明の更に他の観点では、コンテンツを放送する高解像映像データを含む第１放送信号、及び、前記コンテンツと同一のコンテンツを異なる放送形式で放送する低解像映像データを含む第２放送信号を受信する装置によって実行される放送信号受信プログラムは、前記装置を、前記高解像映像データが形成する第１映像のサイズに合わせて、前記低解像映像データが形成する映像をスケーリングすることで、第２映像を生成する第２映像生成手段、前記第１映像内に存在する第１特徴部分を検出する第１特徴部分検出手段、前記第２映像において、前記第１特徴部分が存在する位置に対応する位置に存在し、前記第１特徴部分と同一の特徴を有する第２特徴部分を検出する第２特徴部分検出手段、前記第１特徴部分の位置と前記第２特徴部分の位置とを比較することで、前記低解像映像データが形成する映像のサイズを調整するためのスケーリング率を検出するスケーリング検出手段、として機能させる。
【００３１】
上記の放送信号受信方法及び放送信号受信プログラムによっても、低解像映像データが形成する映像をスケーリングする際に発生し得る映像のずれを、適切に抑制することが可能となる。
【実施例】
【００３２】
以下、図面を参照して本発明の好適な実施例について説明する。
［装置構成］
図１は、本実施例における放送信号受信装置１００の概略構成図を示す。放送信号受信装置１００は、例えば地上デジタルテレビジョン放送（地デジ）を受信して処理を行う装置である。一例としては、車載用の地デジ受信機が挙げられる。放送信号受信装置１００は、同一のコンテンツが異なる放送形式によって放送されるハイビジョン放送若しくは標準画質放送（第１放送信号に相当する）と、ワンセグ放送（第２放送信号に相当する）とを受信して種々の処理を行う。この第１放送信号には１２セグ映像に相当する映像データ（以下、「１２セグ映像データ」と呼ぶ。）が含まれ、第２放送信号にはワンセグ映像に相当する映像データ（以下、「ワンセグ映像データ」と呼ぶ。）が含まれる。１２セグ映像データは高解像映像データに相当し、ワンセグ映像データは低解像映像データに相当する。また、１２セグ映像は「第１映像」に相当する。なお、高解像映像データは低解像映像データよりも画素数が多い映像データに相当する、言い換えると低解像映像データは高解像映像データよりも画素数が少ない映像データに相当する
図１に示すように、放送信号受信装置１００は、主に、ＴＳ−Ｄｅｍｕｘ(Transport Stream-Demultiplexer)１と、Ｈ．２６４デコーダ２と、ＭＰＥＧ２(Moving Picture Experts Group2)ビデオデコーダ３と、フレームバッファ４、５と、スケーリング検出部６と、スケーリング制御部７と、出力切り替え部８と、スケーラ９と、を備える。
【００３３】
ＴＳ−Ｄｅｍｕｘ１は、図示しないチューナ部及び復調部によって変換された、ＭＰＥＧ−ＴＳストリーム(Transport Stream）に対応するデータＤが入力される。そして、ＴＳ−Ｄｅｍｕｘ１は、入力されたデータＤをＰＥＳ(Packetized Elementary Stream)に分離し、当該分離した後のデータＤ１ａ及びＤ１ｂを、それぞれ、Ｈ．２６４デコーダ２及びＭＰＥＧ２ビデオデコーダ３に出力する。
【００３４】
Ｈ．２６４デコーダ２及びＭＰＥＧ２ビデオデコーダ３は、それぞれ、入力されたデータＤ１ａ及びＤ１ｂに対してデコード処理を行い、当該デコード処理後のデータＤ２及びＤ３をフレームバッファ４、５に出力する。データＤ２はワンセグ映像データに相当し、データＤ３は１２セグ映像データに相当する。フレームバッファ４は、映像データ（ワンセグ映像データ）に対応するデータＤ４ａ及びＤ４ｂを、それぞれ、出力切り替え部８及びスケーリング検出部６に出力する。フレームバッファ５は、映像データ（１２セグ映像データ）に対応するデータＤ５ａ及びＤ５ｂを、それぞれ、出力切り替え部８及びスケーリング検出部６に出力する。
【００３５】
出力切り替え部８は、ユーザーからの指示や受信状況などに応じて、フレームバッファ４、５のいずれか一方に記憶された映像データを選択し、選択した映像データをデータＤ８としてスケーラ９に出力する。スケーラ９は、基本的には、出力切り替え部８より入力されたデータＤ８に対して、表示デバイス（不図示）に合った映像の大きさへ変換する処理を行い、当該処理後のデータＤ９を表示デバイスに出力する。
【００３６】
スケーリング検出部６は、フレームバッファ４、５からデータＤ４ｂ、Ｄ５ｂを取得し、データＤ４ｂ、Ｄ５ｂに対応する映像データを比較することで、映像の位置を調整するための最適なオフセット値、及び、映像のサイズを調整するための最適なスケーリング率を検出する。具体的には、スケーリング検出部６は、映像データにおける輝度値やエッジ検出後の映像などに基づいて、１２セグ映像の画素サイズに合わせてワンセグ映像をスケーリングした映像（この映像は「第２映像」に相当し、以下では「ワンセグスケーリング映像」と呼ぶ。）について、１２セグ映像に対するオフセットのずれ及びスケーリングのずれを検出する。そして、スケーリング検出部６は、検出されたオフセット値及びスケーリング率に対応するデータＤ６をスケーリング制御部７に出力する。なお、スケーリング検出部６に入力されるワンセグ映像と１２セグ映像とは、時間的に同期が取れている状態にあるものとする。
【００３７】
スケーリング制御部７は、スケーリング検出部６より出力されたデータＤ６に対応するオフセット値及びスケーリング率に基づいて、スケーラ９を制御する。この場合、スケーリング制御部７は、スケーラ９に対してデータＤ７を出力する。スケーラ９は、出力切り替え部８よりワンセグ映像が入力された場合に、スケーリング制御部７より入力されたオフセット値及びスケーリング率に基づいて、当該ワンセグ映像をオフセットする処理及びスケーリングする処理を行う。
【００３８】
なお、上記したスケーリング検出部６は、第２映像生成手段、第１特徴部分検出手段、第２特徴部分検出手段、及びスケーリング検出手段として機能し、スケーリング制御部７は、スケーリング制御手段として機能する。
［スケーリング検出部における処理方法］
次に、本実施例においてスケーリング検出部６が行う処理方法について、具体的に説明する。
【００３９】
本実施例では、スケーリング検出部６は、１２セグ映像内に存在する特徴部分（以下、「第１特徴部分」と呼ぶ。）を検出すると共に、ワンセグ映像をスケーリングしたワンセグスケーリング映像内において、第１特徴部分が存在する位置に対応する位置に存在し、第１特徴部分と同一の特徴を有する特徴部分（以下、「第２特徴部分」と呼ぶ。）を検出する。そして、スケーリング検出部６は、第２特徴部分の位置が第１特徴部分の位置に一致するように、オフセット値及びスケーリング率を求める。
【００４０】
つまり、スケーリング検出部６は、ワンセグスケーリング映像において本来ならば１２セグ映像と同一の位置に存在するはずの同一の特徴部分（言い換えると同一のコンテンツ）を用いて、ワンセグスケーリング映像内の第２特徴部分の位置が１２セグ映像内の第１特徴部分の位置に一致するようなオフセット値及びスケーリング率を検出する。言い換えると、スケーリング検出部６は、第１特徴部分の位置と第２特徴部分の位置とを比較することで、オフセットのずれ及びスケーリングのずれを検出して、ワンセグスケーリング映像を生成する際に用いたオフセット値及びスケーリング率を補正する。
【００４１】
こうする理由は、以下の通りである。ワンセグ映像は、例えば携帯電話をターゲットとした画素数であるため、車載用のモニターなどでは、ワンセグ映像をスケーリングした映像を表示するのが一般的である。このようにワンセグ映像をスケーリングする場合において、画素数の比率で単純に拡大してしまうと、１２セグ映像の画素において６画素程度のずれが生じる場合がある。これは、放送局によって１２セグ映像からワンセグ映像を作成する際のトップボトムの間引き方法、ベースバンド素材から１２セグ、ワンセグそれぞれのエンコードする映像領域の違いや、その他装置が異なっていることなどが原因として考えられる。
【００４２】
よって、本実施例では、ワンセグ映像のスケーリングにより発生し得る映像のずれが適切に補正されるように、ワンセグ映像をオフセット及びスケーリングする際に用いるべき最適なオフセット値及びスケーリング率を検出する。具体的には、スケーリング検出部６は、１２セグ映像の画素サイズに合うようにワンセグ映像をオフセット及びスケーリングすることで生成したワンセグスケーリング映像における第２特徴部分のデータが、１２セグ映像における第１特徴部分のデータと一致するか否かを判断する。一致する場合には、スケーリング検出部６は、ワンセグスケーリング映像を生成する際に用いたオフセット値及びスケーリング率が正しいと判断する。
【００４３】
これに対して、一致しない場合には、スケーリング検出部６は、ワンセグスケーリング映像を生成する際に用いたオフセット値及びスケーリング率が正しくないと判断し、正しいオフセット値及びスケーリング率を検出する。つまり、ワンセグスケーリング映像を生成する際に用いたオフセット値及びスケーリング率を補正する。この場合、スケーリング検出部６は、第２特徴部分の位置が第１特徴部分の位置に一致するように、オフセット値を変更して映像の位置を移動させたり、スケーリング率を変更して、１２セグ映像の画素サイズより小さいサイズ又は大きいサイズで映像をスケーリングしたりすることで、正しいオフセット値及びスケーリング率を検出する。
【００４４】
これにより、ワンセグ映像を適切にオフセット及びスケーリングすることができ、ワンセグ映像のスケーリングにより発生し得る映像のずれを抑制することが可能となる。よって、サービス切り替え時の映像のずれによる違和感を抑制することができ、視聴環境を向上させることが可能となる。
【００４５】
なお、上記のように検出されたオフセット値及びスケーリング率は、放送局や放送設備などによって異なることが多いので、最適な値を予め調査して、放送局や放送設備などに対応付けてテーブル値（デフォルト固定値）として保持しておくことが望ましい。また、ワンセグスケーリング映像を生成する場合には、放送局や放送設備に応じたテーブル値を参照して、スケーリングすることが望ましい。そして、こうして生成されたワンセグスケーリング映像に基づいて、上記したような一致するか否かの判定を行う。
【００４６】
（検出方法の具体例）
次に、図２乃至図４を参照して、オフセット値及びスケーリング率の検出方法の具体例について説明する。
【００４７】
本実施例では、スケーリング検出部６は、１２セグ映像及びワンセグスケーリング映像に対してエッジ検出を行うことで、第１特徴部分及び第２特徴部分を検出する。具体的には、スケーリング検出部６は、１２セグ映像及びワンセグスケーリング映像の４隅に位置する所定領域（以下、「エッジ検出エリア」と呼ぶ。）内の映像データに対してエッジ検出を行う。なお、このように４隅部分でエッジ検出を行うのは、映像の中心よりも、中心から離れた位置においてデータが一致していない場合に、それを検出し易いと言えるからである。
【００４８】
詳しくは、スケーリング検出部６は、上記のエッジ検出エリアにおいてエッジ検出を行うことで、４隅のうち対角に位置する２つの隅におけるエッジ検出エリアから、横線と縦線との交点を検出する（つまり２つの交点を検出する）。この場合、スケーリング検出部６は、１２セグ映像の当該２つの隅におけるエッジ検出エリアから検出された２つの交点を第１特徴部分として用い、ワンセグスケーリング映像の当該２つの隅におけるエッジ検出エリアから検出された２つの交点を第２特徴部分として用いる。そして、スケーリング検出部６は、ワンセグスケーリング映像から検出された２つの交点が、それぞれ、１２セグ映像から検出された２つの交点と重なるように、オフセット値及びスケーリング率を検出する。
【００４９】
このようにエッジ検出を行うことで、エッジ検出を行ったデータ同士で比較を行うことができ、映像で比較するよりも、精度良く映像のずれを検出することができる。
【００５０】
図２は、エッジ検出方法の一例を説明するための図である。ここでは、ワンセグ映像の画素数が「３２０×１８０ピクセル」であり、１２セグ映像の画素数が「１９２０×１０８０ピクセル」である例を示す。図２（ａ）にはワンセグ映像を示しており、図２（ｂ）には、１２セグ映像の画素サイズに合わせて図２（ａ）に示すワンセグ映像をスケーリングしたワンセグスケーリング映像を示しており、図２（ｃ）には１２セグ映像を示している。
【００５１】
本実施例では、図２（ｂ）及び図２（ｃ）に示すように、スケーリング検出部６は、１２セグ映像及びワンセグスケーリング映像の４隅に位置するエッジ検出エリア（破線で示す）内の映像データに対してエッジ検出を行う。スケーリング検出部６は、エッジ検出できたら、そのエリアにおいてピクセル単位で、１２セグ映像とワンセグスケーリング映像との映像データを比較する。
【００５２】
図３は、オフセット値及びスケーリング率を求める方法の一例を説明するための図である。ここでは、エッジ検出により、対角に位置する２隅として映像の左上の隅と右下の隅とから、交点が検出された場合を例に挙げる。
【００５３】
図３（ａ）は、画素数が「１４４０×１０８０ピクセル」である１２セグ映像Ｇ１１を示している。この場合、１２セグ映像Ｇ１１における４隅のエッジ検出エリアにおいてエッジ検出を行うことで、エッジＥ１１、Ｅ１２が検出されたものとする。点Ｐ１１はエッジＥ１１における横線と縦線との交点であり、点Ｐ１２はエッジＥ１２における横線と縦線との交点である。交点Ｐ１１は、１２セグ映像Ｇ１１の左端から「８ピクセル」離れ、上端から「６ピクセル」離れた場所に位置する。交点Ｐ１２は、１２セグ映像Ｇ１１の右端から「６ピクセル」離れ、下端から「６ピクセル」離れた場所に位置する。
【００５４】
図３（ｂ）は、画素数が「１４４０×１０８０ピクセル」であるワンセグスケーリング映像Ｇ２１の例を示している。当該ワンセグスケーリング映像Ｇ２１は、画素数が「３２０×１８０ピクセル」であるワンセグ映像をスケーリングして生成された映像である（なお、オフセットはされていないものとする）。この場合、ワンセグスケーリング映像Ｇ２１における４隅のエッジ検出エリアにおいてエッジ検出を行うことで、エッジＥ２１、Ｅ２２が検出されたものとする。点Ｐ２１はエッジＥ２１における横線と縦線との交点であり、点Ｐ２２はエッジＥ２２における横線と縦線との交点である。交点Ｐ２１は、ワンセグスケーリング映像Ｇ２１の左端から「２ピクセル」離れ、上端から「２ピクセル」離れた場所に位置する。交点Ｐ２２は、ワンセグスケーリング映像Ｇ２１の右端から「８ピクセル」、下端から「１ピクセル」離れた場所に位置する。
【００５５】
図３（ｃ）は、上記した１２セグ映像Ｇ１１及びワンセグスケーリング映像Ｇ２１から、オフセット値及びスケーリング率を求める方法を説明するための図を示す。本実施例では、スケーリング検出部６は、ワンセグスケーリング映像Ｇ２１のエッジＥ２１、Ｅ２２における交点Ｐ２１、Ｐ２２が、それぞれ、１２セグ映像Ｇ１１のエッジＥ１１、Ｅ１２における交点Ｐ１１、Ｐ１２と重なり合うようにすることで、最適なオフセット値及びスケーリング率を検出する。なお、図３（ｃ）に示す映像Ｇ２２は、求められたオフセット値及びスケーリング率でオフセット及びスケーリングした後のワンセグスケーリング映像を示している。
【００５６】
例えば、ワンセグスケーリング映像Ｇ２１の左上付近の映像を平行移動させながら、ワンセグスケーリング映像Ｇ２１の交点Ｐ２１が、１２セグ映像Ｇ１１の交点Ｐ１１と重なるような場所を探すことで、最適なオフセット値が検出される。この場合、交点Ｐ１１と交点Ｐ２１との横方向のずれ量は「８−２」より「６ピクセル」であり、横方向のずれ量は「６―２」より「４ピクセル」である。したがって、横方向のオフセット値として「６ピクセル」が得られ、縦方向のオフセット値として「４ピクセル」が得られる。なお、エッジの縦線及び横線とその交点を見つけるのと、最大「１２ピクセル」程度の画素の範囲で検出するため、拡大率の影響はサーチする際にほとんどないと言える。
【００５７】
次に、上記のように求められたオフセット値に基づいてワンセグスケーリング映像Ｇ２１の位置をずらした状態で、ワンセグスケーリング映像Ｇ２１の交点Ｐ２２が１２セグ映像Ｇ１１の交点Ｐ１２と重なるようにスケーリング率を変更することで、最適なスケーリング率が検出される。この場合、図３（ｃ）に示す映像Ｇ２２のようなサイズに設定することで、交点Ｐ２２が交点Ｐ１２と重なることとなる。この映像Ｇ２２の横方向のサイズは「１４４０−６＋２」より「１４３６ピクセル」であり、縦方向のサイズは「１０８０−４―５」より「１０７１ピクセル」である。したがって、横方向のスケーリング率として「１４３６／３２０」が得られ、縦方向のスケーリング率として「１０７１／１８０」が得られる。
【００５８】
図４は、スケーリング検出部６が行う処理を示すフローチャートである。この処理では、基本的には、１２セグ映像及びワンセグスケーリング映像の４隅部分のエッジ検出エリアにおいてエッジ検出を行い、１２セグ映像とワンセグスケーリング映像との映像データを比較することで、映像データが閾値以上一致しているか否かの判定が行われる。そして、閾値以上一致している場合には、ワンセグスケーリング映像を生成する際に用いたオフセット値及びスケーリング率が正しいと判断され、閾値以上一致していない場合には、正しいオフセット値及びスケーリング率が検出される。
【００５９】
まず、ステップＳ１０１では、スケーリング検出部６は、テーブル値を参照することで、オフセット値及びスケーリング率を取得する。例えば、スケーリング検出部６は、テーブル値から、現在用いている放送局や放送設備などに対応するオフセット値及びスケーリング率を取得する。そして、処理はステップＳ１０２に進む。
【００６０】
ステップＳ１０２では、スケーリング検出部６は、ステップＳ１０１で取得されたオフセット値及びスケーリング率によって、ワンセグ映像をオフセット及びスケーリングする処理を行う。つまり、ワンセグスケーリング映像を生成する。そして、処理はステップＳ１０３に進む。
【００６１】
ステップＳ１０３では、スケーリング検出部６は、１２セグ映像及びワンセグスケーリング映像の４隅に位置するエッジ検出エリアにおいてエッジ検出を行う。例えば、スケーリング検出部６は、横方向及び縦方向に関してエッジ検出可能な「Prewittフィルタ」などを用いる。そして、処理はステップＳ１０４に進む。
【００６２】
ステップＳ１０４では、スケーリング検出部６は、エッジ検出エリアにおいて、ピクセル単位で、１２セグ映像とワンセグスケーリング映像との映像データを比較する。そして、スケーリング検出部６は、両者の映像データが閾値以上一致しているか否かを判定する。
【００６３】
映像データが閾値以上一致している場合（ステップＳ１０４；Ｙｅｓ）、処理はステップＳ１０５に進む。この場合には、スケーリング検出部６は、正しいオフセット値及びスケーリング率でオフセット及びスケーリングがされたと判断する（ステップＳ１０５）。そして、処理は終了する。
【００６４】
これに対して、映像データが閾値以上一致していない場合（ステップＳ１０４；Ｎｏ）、処理はステップＳ１０６に進む。ステップＳ１０６以降の処理では、正しいオフセット値及びスケーリング率を検出するための処理が行われる。まず、ステップＳ１０６では、スケーリング検出部６は、４隅のエッジ検出エリアにおいて対角に位置する２つの隅におけるエッジ検出エリアに、一定以上の長さを有する横線と縦線との交点が存在するか否かを判定する。つまり、交点が対角隅部分２箇所に存在するか否かを判定する。
【００６５】
交点が対角隅部分２箇所に存在する場合（ステップＳ１０６；Ｙｅｓ）、処理はステップＳ１０７に進む。ステップＳ１０７では、スケーリング検出部６は、１２セグ映像から検出された交点を構成する縦線と、ワンセグスケーリング映像から検出された交点を構成する縦線とが重なるような場所を探す。そして、処理はステップＳ１０８に進む。なお、縦線が完全に重なるような場所を探すことに限定はされず、１２セグ映像における縦線とワンセグスケーリング映像における縦線との位置の差（ピクセル単位）が所定値以下となるような場所を探しても良い。
【００６６】
ステップＳ１０８では、スケーリング検出部６は、１２セグ映像から検出された交点を構成する横線と、ワンセグスケーリング映像から検出された交点を構成する横線とが重なるような場所を探す。そして、処理はステップＳ１０５に進む。なお、横線が完全に重なるような場所を探すことに限定はされず、１２セグ映像における横線とワンセグスケーリング映像における横線との位置の差（ピクセル単位）が所定値以下となるような場所を探しても良い。
【００６７】
このようにステップＳ１０７、Ｓ１０８で縦線及び横線が重なるような場所を探す処理を行うことは、ワンセグスケーリング映像における２つの交点が１２セグ映像における２つの交点と重なるようなオフセット値及びスケーリング率を検出することに相当する。よって、ステップＳ１０７、Ｓ１０８の処理を行うことで、ワンセグスケーリング映像から検出された２つの交点が、それぞれ、１２セグ映像から検出された２つの交点と重なるような、最適なオフセット値及びスケーリング率が決定されることとなる。この後、ステップＳ１０５において、スケーリング検出部６は、正しいオフセット値及びスケーリング率でオフセット及びスケーリングがされたと判断する。そして、処理は終了する。
【００６８】
これに対して、交点が対角隅部分２箇所に存在しない場合（ステップＳ１０６；Ｎｏ）、例えば１つの交点しか検出されなかった場合、若しくは交点が全く検出されなかった場合、処理はステップＳ１０９に進む。この場合、スケーリング検出部６は、一定時間後に別の映像で再度検出を行う（ステップＳ１０９）。つまり、当該検出を行ったフレームとは異なるフレームに対してエッジ検出を再度行う。そして、処理は終了する。この場合には、２つの交点が検出されるまで、検出処理が繰り返されることとなる。
【００６９】
なお、上記した処理では、１つの交点しか検出されなかった場合に、一定時間後に別の映像で再度検出を行う例（ステップＳ１０９参照）を示したが、これに限定はされない。他の例では、１つの交点のみが検出された場合、その交点を取得すると共に、当該検出を行ったフレームとは異なるフレームに対してエッジ検出を再度行うことで、その交点が検出された隅と対角に位置する隅におけるエッジ検出エリアから、交点を取得することができる。即ち、最適なオフセット値及びスケーリング率を決定するためには２つの交点が必要となるが、このような２つの交点は、必ずしも同一の映像から取得する必要はない。この場合、１つ目の交点が検出された際に、当該交点に基づいてオフセット値のみを求め、２つ目の交点が検出された際に、２つの交点に基づいてスケーリング率を求めることができる。
【００７０】
ここで、図５及び図６を参照して、エッジ検出方法の他の例について説明する。
【００７１】
図５は、１２セグ映像の画素サイズより小さいサイズでワンセグ映像をスケーリングした場合におけるエッジ検出方法を説明するための図を示す。図５（ａ）にはワンセグ映像を示しており、図５（ｂ）には、１２セグ映像の画素サイズより小さいサイズでワンセグ映像をスケーリングしたワンセグスケーリング映像を示しており、図５（ｃ）には１２セグ映像を示している。この場合には、図中の破線で示すように、１２セグ映像においての４隅ではなく、ワンセグスケーリング映像において４隅に位置する所定領域が、エッジ検出エリアとして用いられる。
【００７２】
図６は、映像にサイドパネル部が存在する場合におけるエッジ検出方法を説明するための図を示す。図６（ａ）にはワンセグ映像を示しており、図６（ｂ）には、１２セグ映像の画素サイズに合わせてワンセグ映像をスケーリングしたワンセグスケーリング映像を示しており、図６（ｃ）には１２セグ映像を示している。また、図６（ｂ）及び図６（ｃ）において、ハッチング領域にてサイドパネル部を表している。
【００７３】
このようにサイドパネル部が存在する場合には、サイドパネル部を検出し、検出されたサイドパネル部を除外した領域においてエッジ検出が行われる。具体的には、図中の破線で示すように、サイドパネル部を除外した領域において４隅に位置する所定領域が、エッジ検出エリアとして用いられる。なお、サイドパネル部の有無に関わらずに、当初からサイドパネル部を除外した領域でエッジ検出を行うこととしても良い。
【００７４】
なお、上記では映像の４隅に位置する所定領域でエッジ検出を行う例を示したが、この代わりに、映像全体でエッジ検出を行っても良いし、４隅以外に位置する所定の領域でエッジ検出を行っても良い。
【００７５】
また、上記では、エッジ検出した映像を比較することでオフセット値及びスケーリング率を検出する例を示したが、他の例では、映像データ（例えば輝度値など）の差分を所定のエリアで求め、このような差分が最小になるようにすることで、オフセット値及びスケーリング率を検出することができる。
【００７６】
次に、オフセット値及びスケーリング率の検出方法の他の例について説明する。
【００７７】
上記では、エッジ検出エリアから横線と縦線との交点を検出し、検出された交点が重なり合うようにすることでオフセット値及びスケーリング率を検出する例を示した。他の例では、横線と縦線との交点の代わりに、エッジ検出エリアから線分（言い換えると横線、縦線）を検出し、検出された線分を第１特徴部分及び第２特徴部分とする。具体的には、スケーリング検出部６は、複数のフレームに対してエッジ検出を行うことで、一定以上の長さを有する線分を複数検出する。そして、スケーリング検出部６は、ワンセグスケーリング映像から検出された複数の線分が、それぞれ、対応する１２セグ映像から検出された複数の線分と重なるように、オフセット値及びスケーリング率を検出する。つまり、スケーリング検出部６は、複数のフレームを用いて、オフセット値と、横方向及び縦方向のスケーリング率とを検出していく。
【００７８】
図７は、オフセット値及びスケーリング率の検出方法の他の例を説明するための図である。なお、図７において、映像Ｇ１３ａ〜Ｇ１３ｄは１２セグ映像の一例を示し、映像Ｇ２３ａ〜Ｇ２３ｄはワンセグスケーリング映像の一例を示す。また、図７では、説明の便宜上、１２セグ映像から検出されたエッジと、ワンセグスケーリング映像から検出されたエッジとをずらして示している。
【００７９】
まず、図７（ａ）に示すように、スケーリング検出部６は、１２セグ映像Ｇ１３ａ及びワンセグスケーリング映像Ｇ２３ａのそれぞれから、左上に位置する映像データより、縦線のエッジＥ１３ａ、Ｅ２３ａを検出する。そして、スケーリング検出部６は、検出したエッジ同士を一致させることによって、画面左側の横方向の位置を決定する。つまり、横方向のオフセット値を決定する。
【００８０】
次に、図７（ｂ）に示すように、スケーリング検出部６は、１２セグ映像Ｇ１３ａ及びワンセグスケーリング映像Ｇ２３ａとは別のフレームからエッジを検出する。具体的には、スケーリング検出部６は、１２セグ映像Ｇ１３ｂ及びワンセグスケーリング映像Ｇ２３ｂのそれぞれから、左上に位置する映像データより、横線のエッジＥ１３ｂ、Ｅ２３ｂを検出する。そして、スケーリング検出部６は、図７（ｂ）中の矢印で示すように、ワンセグスケーリング映像Ｇ２３ｂを下方向に移動させることで、検出したエッジ同士を一致させることにより、画面左側の縦方向の位置を決定する。つまり、縦方向のオフセット値を決定する。
【００８１】
次に、図７（ｃ）に示すように、スケーリング検出部６は、１２セグ映像Ｇ１３ｂ及びワンセグスケーリング映像Ｇ２３ｂとは別のフレームからエッジを検出する。具体的には、スケーリング検出部６は、１２セグ映像Ｇ１３ｃ及びワンセグスケーリング映像Ｇ２３ｃのそれぞれから、右上に位置する映像データより、縦線のエッジＥ１３ｃ、Ｅ２３ｃを検出する。そして、スケーリング検出部６は、図７（ｃ）中の矢印で示すように、ワンセグスケーリング映像Ｇ２３ｃを右方向に伸張させることで、検出したエッジ同士を一致させることにより、画面右側の横方向の位置を決定する。つまり、横方向のスケーリング率を決定する。
【００８２】
次に、図７（ｄ）に示すように、スケーリング検出部６は、１２セグ映像Ｇ１３ｃ及びワンセグスケーリング映像Ｇ２３ｃとは別のフレームからエッジを検出する。具体的には、スケーリング検出部６は、１２セグ映像Ｇ１３ｄ及びワンセグスケーリング映像Ｇ２３ｄのそれぞれから、右下に位置する映像データより、横線のエッジＥ１３ｄ、Ｅ２３ｄを検出する。そして、スケーリング検出部６は、図７（ｄ）中の矢印で示すように、ワンセグスケーリング映像Ｇ２３ｄを下方向に伸張させることで、検出したエッジ同士を一致させることにより、画面右側の縦方向の位置を決定する。つまり、縦方向のスケーリング率を決定する。
［変形例］
次に、変形例における放送信号受信装置の構成について説明する。変形例では、１２セグ映像においてエラーの割合が所定値よりも大きい部分（以下、「エラー部分」と呼ぶ。）を、前述したような方法で検出されたオフセット値及びスケーリング率でオフセット及びスケーリングされたワンセグ映像によって補間する。つまり、変形例では、１２セグ映像のエラー部分を、スケーリングのずれを補正したワンセグスケーリング映像におけるエラー部分と同じ位置のデータによって、エラー補間する。このように、変形例は、１２セグ映像のエラーコンシールメント（エラー補正）を行う構成に適用される。
【００８３】
図８は、変形例における放送信号受信装置１０１の概略構成図を示す。放送信号受信装置１０１は、例えば地上デジタルテレビジョン放送を受信して処理を行う装置である。一例としては、車載用の地デジ受信機が挙げられる。放送信号受信装置１０１は、同一のコンテンツが異なる放送形式によって放送されるハイビジョン放送若しくは標準画質放送と、ワンセグ放送とを受信して種々の処理を行う。
【００８４】
具体的には、放送信号受信装置１０１は、主に、ＴＳ−Ｄｅｍｕｘ１１と、ＡＡＣ(Advanced Audio Coding)デコーダ１２と、Ｈ．２６４デコーダ１３と、ＭＰＥＧ２ビデオデコーダ１４と、サイマル放送判定部１５と、フレームバッファ１６、１７、１８と、適応エラー補間検出部２０と、適応エラー補間制御部３０と、適応エラー補間処理部４０と、出力切り替え部５０と、を備える。
【００８５】
ＴＳ−Ｄｅｍｕｘ１１は、入力されたＴＳに対応するデータＤ１０を、ＰＥＳに分離する。そして、ＴＳ−Ｄｅｍｕｘ１１は、当該分離した後のデータＤ１１ａ、Ｄ１１ｂ、Ｄ１１ｃを、それぞれ、ＡＡＣデコーダ１２、Ｈ．２６４デコーダ１３、及びＭＰＥＧ２ビデオデコーダ１４に出力する。また、ＴＳ−Ｄｅｍｕｘ１１は、ＥＩＴ(Event Information Table)から番組名や番組情報などに対応するデータＤ１１ｄを、サイマル放送判定部１５に出力する。
【００８６】
ＡＡＣデコーダ１２、Ｈ．２６４デコーダ１３、及びＭＰＥＧ２ビデオデコーダ１４は、それぞれ、入力されたデータＤ１１ａ、Ｄ１１ｂ、Ｄ１１ｃに対してデコード処理を行い、当該デコード処理後のデータＤ１２、Ｄ１３ａ、Ｄ１４ａをフレームバッファ１６、１７、１８に出力する。データＤ１２は音声データであり、データＤ１３ａ、Ｄ１４ａは映像データである。具体的には、データＤ１３ａはワンセグ映像データに相当し、データＤ１３ｂは１２セグ映像データに相当する。更に、Ｈ．２６４デコーダ１３及びＭＰＥＧ２ビデオデコーダ１４は、このようなデコード処理と同時に、適応エラー補間の各検出に必要なＭＰＥＧ２やＨ．２６４におけるシンタックスなどの情報を、それぞれデータＤ１３ｂ、Ｄ１４ｂとして、適応エラー補間検出部２０に出力する。
【００８７】
フレームバッファ１６は、音声データに対応するデータＤ１６ａ、Ｄ１６ｂを出力する。具体的には、フレームバッファ１６は、データＤ１６ａをサイマル放送判定部１５に対して出力する。フレームバッファ１７は、映像データ（ワンセグ映像データ）に対応するデータＤ１７ａ、Ｄ１７ｂを、それぞれ、出力切り替え部５０及び適応エラー補間処理部４０に出力する。フレームバッファ１８は、映像データに対応するデータＤ１８を出力切り替え部５０に出力する。具体的には、フレームバッファ１８は、適応エラー補間処理部４０から補間データＤ４３を取得して、ＭＰＥＧ２ビデオデコーダ１４から取得されたデータＤ１４ａ（１２セグ映像データ）を当該補間データＤ４３によって補間したデータＤ１８を、出力切り替え部５０に出力する。
【００８８】
サイマル放送判定部１５は、ＴＳ−Ｄｅｍｕｘ１１から取得されるＥＩＴの番組名や番組情報などのデータＤ１１ｄ、及びフレームバッファ１６から取得されるデータＤ１６ａ（音声データ）などに基づいて、受信された放送信号がサイマル放送か否かの判定を行う。そして、サイマル放送判定部１５は、この判定結果などをデータＤ１５として、適応エラー補間検出部２０に出力する。また、サイマル放送判定部１５は、フレームバッファ１６から取得されるデータＤ１６ａを用いて、１２セグとワンセグとの映像データ及び音声データの出力タイミングを合わせる処理を行う。
【００８９】
適応エラー補間検出部２０は、主に、映像同期検出部２５と、エラー映像領域検出部２６と、スケーリング検出部２７と、を備える。これらの各検出部は、Ｈ．２６４デコーダ１３やＭＰＥＧ２ビデオデコーダ１４から取得されたＭＰＥＧ２やＨ．２６４のシンタックス要素や、デコード処理された映像データ（ワンセグ映像データ及び１２セグ映像データ）に基づき生成した情報から、検出結果を算出する。詳しくは、エラー映像領域検出部２６は、エラーが存在する映像領域を検出し、映像同期検出部２５は、時間方向の１２セグ映像とワンセグ映像との同期を検出する。エラー映像領域検出部２６及び映像同期検出部２５は、このような検出結果をデータＤ２０として、適応エラー補間制御部３０のエラー補間制御部３１に出力する。
【００９０】
スケーリング検出部２７は、１２セグ映像とワンセグスケーリング映像との映像のずれを検出する。スケーリング検出部２７は、このような検出結果をデータＤ２１として、適応エラー補間制御部３０のスケーリング制御部３２に出力する。なお、スケーリング検出部２７は、第２映像生成手段、第１特徴部分検出手段、第２特徴部分検出手段、及びスケーリング検出手段として機能し、基本的には、前述したスケーリング検出部６と同様の処理を行うため、ここでは詳細な説明を省略する。
【００９１】
適応エラー補間制御部３０は、主に、エラー補間制御部３１とスケーリング制御部３２とを備える。エラー補間制御部３１は、エラー映像領域検出部２６及び映像同期検出部２５から得られた各検出結果や、サイマル放送の判定結果や、エラーの割合などに基づいて、１２セグ映像又はワンセグ映像から補間するデータを適応的に選択する制御や、１２セグ映像とワンセグ映像とを切り替える制御を行う。具体的には、エラー補間制御部３１は、１２セグ映像又はワンセグ映像から補間するデータを適応的に選択するための制御信号Ｄ３１ａを適応エラー補間処理部４０に出力すると共に、１２セグ映像とワンセグ映像とを切り替えるための制御信号Ｄ３１ｂを出力切り替え部５０に出力することで、このような制御を行う。
【００９２】
スケーリング制御部３２は、１２セグ映像のエラー部分を、ワンセグスケーリング映像（詳しくはスケーリング検出部２７で検出されたオフセット値及びスケーリング率でオフセット及びスケーリングされた映像）によって補間するために、適応エラー補間処理部４０におけるビデオスケーラ４１に対して制御信号Ｄ３２を出力することでスケーリングを制御する。なお、スケーリング制御部３２は、スケーリング制御手段として機能し、基本的には、前述したスケーリング制御部７と同様の処理を行うため、ここでは詳細な説明を省略する。
【００９３】
適応エラー補間処理部４０は、ビデオスケーラ４１と、フレームバッファ４２と、加算器４３と、を備える。ビデオスケーラ４１は、スケーリング制御部３２より入力される制御信号Ｄ３２（オフセット値及びスケーリング率に対応する）に応じて、フレームバッファ１７から取得されるデータＤ１７ｂ（ワンセグ映像データ）に対して、オフセットする処理及びスケーリングする処理を行う。フレームバッファ４２は、当該スケーリング処理後のデータを格納すると共に、これを加算器４３に出力する。加算器４３は、エラー補間制御部３１から取得される制御信号Ｄ３１ａに基づいて、スケーリング処理後の映像データ（ワンセグ映像データ）によって１２セグ映像データをエラー補間するために用いる補間データＤ４３を生成し、当該補間データＤ４３をフレームバッファ１８に出力する。このように、適応エラー補間処理部４０は、エラー補間手段として機能する。なお、ビデオスケーラ４１によって、ワンセグ映像を１フレームごとスケーリングしなくても良く、エラー補間に用いるワンセグ映像の部分のみを、スケーリングしても良い。
【００９４】
出力切り替え部５０は、エラー補間制御部３１から取得される制御信号Ｄ３１ｂに応じて、表示させる映像に用いる映像データの切り替えを行う。具体的には、出力切り替え部５０は、表示させる映像に用いる映像データを、フレームバッファ１７から取得されるデータＤ１７ａ及びフレームバッファ１８から取得されるデータＤ１８のいずれかに切り替えて、これに対応するデータＤ５０を出力する。
【００９５】
なお、表示すべき映像を１２セグ映像からワンセグ映像に切り替える場合には（この場合には、エラーの割合が比較的高いといった理由などから、最適なオフセット値及びスケーリング率を求めることが困難になる）、テーブル値におけるオフセット値及びスケーリング率を用いて、ワンセグ映像をオフセット及びスケーリングした映像を表示させることができる。
【００９６】
図９は、上記した放送信号受信装置１０１が行う全体処理を示すフローチャートである。
【００９７】
まず、ステップＳ２０１では、放送信号受信装置１０１内のＨ．２６４デコーダ１３及びＭＰＥＧ２ビデオデコーダ１４が、それぞれ入力されたデータに対してデコード処理を行う。そして、処理はステップＳ２０２に進む。
【００９８】
ステップＳ２０２では、放送信号受信装置１０１内の適応エラー補間検出部２０が、Ｈ．２６４デコーダ１３やＭＰＥＧ２ビデオデコーダ１４から取得されたＭＰＥＧ２やＨ．２６４のシンタックス要素や、デコード処理された映像データ（ワンセグ映像データ及び１２セグ映像データ）に基づき生成した情報から、検出結果を算出する。詳しくは、適応エラー補間検出部２０は、ピクチャタイプ、マクロブロックタイプ、動きベクトルなどや、ＹＵＶデータ、マクロブロック単位でのエラーの有無などから、適応エラー補間の各検出を行う。そして、処理はステップＳ２０３に進む。なお、このような処理は、基本的には、１２セグ映像のエラーの有無に関わらず、常時行われる。
【００９９】
ステップＳ２０３では、放送信号受信装置１０１内の適応エラー補間制御部３０が、１２セグ映像にエラーがあるか否かを判定する。１２セグ映像にエラーがある場合（ステップＳ２０３；Ｙｅｓ）、処理はステップＳ２０４に進み、１２セグ映像にエラーがない場合（ステップＳ２０３；Ｎｏ）、処理はステップＳ２０１に戻る。
【０１００】
ステップＳ２０４では、放送信号受信装置１０１内の適応エラー補間制御部３０が、１２セグ映像のエラー部分（マクロブロック単位）に対して補間するデータを選択、或いは生成するための制御を行う。そして、処理はステップＳ２０５に進む。ステップＳ２０５では、放送信号受信装置１０１内の適応エラー補間処理部４０が、適応エラー補間制御部３０からの制御に応じたエラー補間処理を行う。そして、処理は終了する。
【０１０１】
ここで、図１０を参照して、変形例におけるエラー補間を行った場合の映像例について説明する。図１０（ａ）は、１２セグ映像の画素サイズに合わせてワンセグ映像を単純にスケーリングした映像によって、１２セグ映像のエラー部分をエラー補間した場合（以下、「比較例」と呼ぶ。）の映像例を示す。これより、破線領域Ａ１で示すように、映像にずれが生じていることがわかる。これは、放送局によって１２セグ映像からワンセグ映像を作成する際のトップボトムの間引き方法、ベースバンド素材から１２セグ、ワンセグそれぞれのエンコードする映像領域の違いや、その他装置が異なっていることなどが原因として考えられる。
【０１０２】
図１０（ｂ）は、変形例におけるエラー補間を行った場合の映像例を示す。具体的には、前述したような方法で検出されたオフセット値及びスケーリング率でワンセグ映像をオフセット及びスケーリングした映像によって、１２セグ映像のエラー部分をエラー補間した場合の映像例を示す。これより、破線領域Ａ２で示すように、映像にずれがほとんど生じていないことがわかる。つまり、上記の比較例と比較して、エラー補間部分における映像のずれが抑制されていることがわかる。
【０１０３】
以上説明した変形例によれば、スケーリングのずれが適切に補正されたワンセグスケーリング映像によって、１２セグ映像のエラー部分を補間することができ、補間した映像領域の違和感を適切に抑制することが可能となる。また、１２セグ映像のエラー部分周辺のみに対しスケーリング検出を行うことで、少ない処理で判定が可能となる。
［適用例］
本発明は、エラー耐性が異なる系でサイマルコンテンツを受信するようなシステムに対して好適に適用することができる。具体的には、同一コンテンツを放送しているデジタル放送の受信機に適用することができる。例えば、ISDB-T（Integrated Services Digital Broadcasting for Terrestrial）方式又はISDB-S（Integrated Services Digital Broadcasting for Satellite）方式のデジタル受信機に適用することができる。また、地デジなどのデジタル放送と同一コンテンツのＩＰ（Internet Protocol）放送を受信する受信機にも適用することができる。
【０１０４】
なお、上記では、高解像映像データの例として１２セグ映像データを示し、低解像映像データの例としてワンセグ映像データを示したが、高解像映像データ及び低解像映像データは、これらに限定されない。
【符号の説明】
【０１０５】
１、１１  ＴＳ−Ｄｅｍｕｘ
２、１３  Ｈ．２６４デコーダ
３、１４  ＭＰＥＧ２ビデオデコーダ
４、５、１６、１７、１８  フレームバッファ
６、２７  スケーリング検出部
７、３２  スケーリング制御部
８、５０  出力切り替え部
９  スケーラ
２０  適応エラー補間検出部
３０  適応エラー補間制御部
４０  適応エラー補間処理部
１００、１０１  放送信号受信装置
【図１】
2010251897.tif 000003
【図２】
2010251897.tif 000004
【図３】
2010251897.tif 000005
【図４】
2010251897.tif 000006
【図５】
2010251897.tif 000007
【図６】
2010251897.tif 000008
【図７】
2010251897.tif 000009
【図８】
2010251897.tif 000010
【図９】
2010251897.tif 000011
【図１０】
2010251897.tif 000012